(57)【特許請求の範囲】
【請求項１】
所定の手段を照明するバックライトと、
装置の周囲の照度測定を所定の分解能で行う照度測定手段と、
前記照度測定手段による測定結果を用いて、前記バックライトの制御を行うバックライト制御手段と、を有し、
前記照度測定手段は、
前記照度測定を低分解能測定で行い、前記低分解能測定の後に行う照度測定では高分解能測定で行い、
前記バックライト制御手段は、
前記低分解能測定による照度測定の測定結果、及び、前記高分解能測定による照度測定の測定結果を用いて、前記バックライトの制御を行うことを特徴とする携帯端末装置。
【請求項２】
前記照度測定手段は、
前記照度測定の初回のみを前記低分解能測定で行い、前記初回の後の照度測定からは前記高分解能測定で行うことを特徴とする請求項１記載の携帯端末装置。
【請求項３】
前記バックライト制御手段は、
前記バックライトの制御として、情報の入力を受け付ける入力部を照明する入力部バックライトの点灯及び消灯の制御、並びに、情報を表示する表示部を照明する表示部バックライトの輝度の制御のうち少なくとも１つを行うことを特徴とする請求項１又は２記載の携帯端末装置。
【請求項４】
前記バックライト制御手段は、
前記照度測定手段による測定結果と、予め定められた閾値とを比較し、
前記比較の結果、前記照度測定手段による測定結果が前記閾値以上である場合には、前記表示部バックライトの輝度を上げる制御、及び、前記入力部バックライトを消灯する制御のうち少なくとも１つを行い、
前記比較の結果、前記照度測定手段による測定結果が前記閾値より小さい場合には、前記表示部バックライトの輝度を下げる制御、及び、前記入力部バックライトを点灯する制御のうち少なくとも１つを行うことを特徴とする請求項３記載の携帯端末装置。
【請求項５】
装置の周囲の照度測定を行い、該照度測定の測定結果を用いて、所定の手段を照明するバックライトの制御を行うバックライト制御方法であって、
前記照度測定を低分解能測定で行い、前記低分解能測定の後に行う照度測定では高分解能測定で行い、前記低分解能測定による照度測定の測定結果及び前記高分解能測定による照度測定の測定結果を用いて、前記バックライトの制御を行うことを特徴とするバックライト制御方法。
【請求項６】
前記照度測定の初回のみを前記低分解能測定で行い、該前記低分解能測定による照度測定の測定結果を用いて前記バックライトの制御を行い、前記初回の後の照度測定からは前記高分解能測定で行い、該高分解能測定による照度測定の測定結果を用いて前記バックライトの制御を行うことを特徴とする請求項５記載のバックライト制御方法。
【請求項７】
前記バックライトの制御は、情報の入力を受け付ける入力部を照明する入力部バックライトの点灯及び消灯の制御、並びに、情報を表示する表示部を照明する表示部バックライトの輝度の制御のうち少なくとも１つであることを特徴とする請求項５又は６記載のバックライト制御方法。
【請求項８】
前記照度測定の測定結果と、予め定められた閾値とを比較し、
前記比較の結果、前記照度測定の測定結果が前記閾値以上である場合には、前記表示部バックライトの輝度を上げる制御、及び、前記入力部バックライトを消灯する制御のうち少なくとも１つを行い、
前記比較の結果、前記照度測定の測定結果が前記閾値より小さい場合には、前記表示部バックライトの輝度を下げる制御、及び、前記入力部バックライトを点灯する制御のうち少なくとも１つを行うことを特徴とする請求項７記載のバックライト制御方法。
【請求項９】
所定の手段を照明するバックライトを備えた装置の周囲の照度を、測定する照度測定処理であって、照度測定を低分解能測定で行い、前記低分解能測定の後に行う照度測定では高分解能測定で行う照度測定処理と、
前記照度測定処理によって得られた、前記低分解能測定による照度測定の測定結果及び前記高分解能測定による照度測定の測定結果を用いて、前記バックライトを制御するバックライト制御処理と、
をコンピュータに実行させることを特徴とするプログラム。
【請求項１０】
前記照度測定処理は、初回の照度測定のみを前記低分解能測定で行った後、該初回の照度測定の後の照度測定からは前記高分解能測定で行う処理であることを特徴とする請求項９記載のプログラム。
【請求項１１】
前記バックライト制御処理は、情報の入力を受け付ける入力部を照明する入力部バックライトの点灯及び消灯の制御処理、並びに、情報を表示する表示部を照明する表示部バックライトの輝度の制御処理のうち少なくとも１つであることを特徴とする請求項９又は１０記載のプログラム。
【請求項１２】
前記照度測定の測定結果と、予め定められた閾値とを比較する比較処理をコンピュータに実行させ、
前記比較処理の結果、前記照度測定の測定結果が前記閾値以上である場合には、前記バックライト制御処理として、前記表示部バックライトの輝度を上げる制御処理、及び、前記入力部バックライトを消灯する制御処理のうち少なくとも１つをコンピュータに実行させ、
前記比較処理の結果、前記照度測定の測定結果が前記閾値より小さい場合には、前記バックライト制御処理として、前記表示部バックライトの輝度を下げる制御処理、及び、前記入力部バックライトを点灯する制御処理のうち少なくとも１つをコンピュータに実行させることを特徴とする請求項１１記載のプログラム。
【請求項１３】
請求項９から１２のいずれか１項に記載のプログラムを記録したことを特徴とする記録媒体。
【発明の詳細な説明】
【技術分野】
【０００１】
本発明は、周囲の照度の測定結果を用いてバックライトを制御する携帯端末装置、バックライト制御方法、プログラム及び記録媒体に関する。
【背景技術】
【０００２】
本発明に関連する携帯端末装置（例えば、携帯電話機等）は、例えば特許文献１や特許文献２に開示されている。このような携帯端末装置は、情報を表示する表示部及びその表示部を照明する表示部バックライトを備えており、照度センサ等を用いて、装置の周囲の照度（以下、周囲照度という）を測定し、測定した周囲照度に応じて、表示部バックライトの輝度の変更（以下、表示部バックライトの輝度制御という）を行う。これにより、表示部バックライトの輝度を最適化し、消費電力の低減を実現している。また、このような携帯端末装置は、ユーザが操作を行う入力部及びその入力部を照明する入力部バックライトを備えており、照度センサで測定した周囲照度に応じて、入力部バックライトの点灯及び消灯の制御（以下、入力部バックライトの点灯消灯制御という）を行う。これにより、点灯機会を抑え、消費電力の低減を実現している。
【０００３】
上述した携帯端末装置では、例えば、周囲照度が明るい場合には表示部バックライトの輝度を上げ、入力部バックライトを消灯する。一方、周囲照度が暗い場合には、表示部バックライトの輝度を下げ、入力部バックライトを点灯する。
【０００４】
上述した携帯端末装置では、消費電力の低減を行う一方で、表示部の視認性を高めるために、周囲照度に応じてより細かな表示部バックライトの輝度制御を行うようになっている。そして、より細かな表示部バックライトの輝度制御を行うためには、周囲照度の測定精度を向上させることが必要である。よって、上述した携帯端末装置では、周囲照度を高分解能で測定する手段を有する。
【０００５】
周囲照度を高分解能で測定（以下、高分解能測定という）する場合、その測定結果を、表示部バックライトの輝度制御のみならず、入力部バックライトの点灯消灯制御にも用いる。ここで、高分解能測定を用いた入力部バックライトの点灯消灯制御について、図５を用いて説明する。
【０００６】
高分解能測定を使用する場合は、常に精度が高い周囲照度を反映することができる。しかし、図５に示すように、ポイント３０１で、制御部が、入力部が押下（操作）されたことを認識したときから、制御部が照度センサの測定を開始させるまでに、ある一定の時間（例えば、２００ｍｓ）が必要となる。そのため、入力部バックライトを点灯するまでに時間が掛かる。
【特許文献１】特開２００３−６０７４４号公報
【特許文献２】特開２００６−２２９７３６号公報
【発明の開示】
【発明が解決しようとする課題】
【０００７】
従って、上述した携帯端末装置では、以下のような問題が生じる。
高分解能測定によって周囲照度を測定し、その測定結果のみを用いてバックライト制御を行うと、高分解能測定には大幅な時間が必要となるため、バックライト制御が実行されるまでに時間を要してしまう。例えば、入力部バックライトの点灯消灯制御の場合では、入力部が操作されてから入力部バックライトが点灯するまでに時間を要してしまう。よって、ユーザに違和感を与えるおそれがある。
【０００８】
本発明は、上記事情に鑑みてなされたものであり、低分解能測定と高分解能測定とを切り替えて周囲照度の測定を行い、その測定結果に応じてバックライト制御を行う携帯端末装置、バックライト制御方法、プログラム及び記録媒体を提供することを目的とする。
【課題を解決するための手段】
【０００９】
かかる目的を達成するために、本発明の第１の携帯端末装置は、所定の手段を照明するバックライトと、装置の周囲の照度測定を所定の分解能で行う照度測定手段と、照度測定手段による測定結果を用いて、バックライトの制御を行うバックライト制御手段と、を有し、照度測定手段は、低分解能測定と高分解能測定とを切り替えて照度測定を行い、バックライト制御手段は、低分解能測定による照度測定の測定結果、及び、高分解能測定による照度測定の測定結果を用いて、バックライトの制御を行うことを特徴とする。
【００１０】
本発明の第２の携帯端末装置は、本発明の第１の携帯端末装置において、照度測定手段は、照度測定の初回のみを低分解能測定で行い、初回の後の照度測定からは高分解能測定で行うことを特徴とする。
【００１１】
本発明の第３の携帯端末装置は、本発明の第１又は第２の携帯端末装置において、バックライト制御手段は、バックライトの制御として、情報の入力を受け付ける入力部を照明する入力部バックライトの点灯及び消灯の制御、並びに、情報を表示する表示部を照明する表示部バックライトの輝度の制御のうち少なくとも１つを行うことを特徴とする。
【００１２】
本発明の第４の携帯端末装置は、本発明の第３の携帯端末装置において、バックライト制御手段は、照度測定手段による測定結果と、予め定められた閾値とを比較し、比較の結果、照度測定手段による測定結果が閾値以上である場合には、表示部バックライトの輝度を上げる制御、及び、入力部バックライトを消灯する制御のうち少なくとも１つを行い、比較の結果、照度測定手段による測定結果が閾値より小さい場合には、表示部バックライトの輝度を下げる制御、及び、入力部バックライトを点灯する制御のうち少なくとも１つを行うことを特徴とする。
【００１３】
本発明の第１のバックライト制御方法は、装置の周囲の照度測定を行い、照度測定の測定結果を用いて、所定の手段を照明するバックライトの制御を行うバックライト制御方法であって、低分解能測定と高分解能測定とを切り替えて照度測定を行い、低分解能測定による照度測定の測定結果及び高分解能測定による照度測定の測定結果を用いて、バックライトの制御を行うことを特徴とする。
【００１４】
本発明の第２のバックライト制御方法は、本発明の第１のバックライト制御方法において、照度測定の初回のみを低分解能測定で行い、低分解能測定による照度測定の測定結果を用いてバックライトの制御を行い、初回の後の照度測定からは高分解能測定で行い、高分解能測定による照度測定の測定結果を用いてバックライトの制御を行うことを特徴とする。
【００１５】
本発明の第３のバックライト制御方法は、本発明の第１又は第２のバックライト制御方法において、バックライトの制御は、情報の入力を受け付ける入力部を照明する入力部バックライトの点灯及び消灯の制御、並びに、情報を表示する表示部を照明する表示部バックライトの輝度の制御のうち少なくとも１つであることを特徴とする。
【００１６】
本発明の第４のバックライト制御方法は、本発明の第３のバックライト制御方法において、照度測定の測定結果と、予め定められた閾値とを比較し、比較の結果、照度測定の測定結果が閾値以上である場合には、表示部バックライトの輝度を上げる制御、及び、入力部バックライトを消灯する制御のうち少なくとも１つを行い、比較の結果、照度測定の測定結果が閾値より小さい場合には、表示部バックライトの輝度を下げる制御、及び、入力部バックライトを点灯する制御のうち少なくとも１つを行うことを特徴とする。
【００１７】
本発明の第１のプログラムは、所定の手段を照明するバックライトを備えた装置の周囲の照度を、低分解能測定と高分解能測定とを切り替えて測定する照度測定処理と、照度測定処理によって得られた、低分解能測定による照度測定の測定結果及び高分解能測定による照度測定の測定結果を用いて、バックライトを制御するバックライト制御処理と、をコンピュータに実行させることを特徴とする。
【００１８】
本発明の第２のプログラムは、本発明の第１のプログラムにおいて、照度測定処理は、初回の照度測定のみを低分解能測定で行った後、初回の照度測定の後の照度測定からは高分解能測定で行う処理であることを特徴とする。
【００１９】
本発明の第３のプログラムは、本発明の第１又は第２のプログラムにおいて、バックライト制御処理は、情報の入力を受け付ける入力部を照明する入力部バックライトの点灯及び消灯の制御処理、並びに、情報を表示する表示部を照明する表示部バックライトの輝度の制御処理のうち少なくとも１つであることを特徴とする。
【００２０】
本発明の第４のプログラムは、本発明の第３のプログラムにおいて、照度測定の測定結果と、予め定められた閾値とを比較する比較処理をコンピュータに実行させ、比較処理の結果、照度測定の測定結果が閾値以上である場合には、バックライト制御処理として、表示部バックライトの輝度を上げる制御処理、及び、入力部バックライトを消灯する制御処理のうち少なくとも１つをコンピュータに実行させ、比較処理の結果、照度測定の測定結果が閾値より小さい場合には、バックライト制御処理として、表示部バックライトの輝度を下げる制御処理、及び、入力部バックライトを点灯する制御処理のうち少なくとも１つをコンピュータに実行させることを特徴とする。
【００２１】
本発明の記録媒体は、本発明の第１から第４のいずれか１つのプログラムを記録したことを特徴とする。
【発明の効果】
【００２２】
本発明によれば、低分解能測定と高分解能測定とを切り替えて周囲照度の測定を行うので、低分解能測定の測定結果を用いてバックライトの制御を行うことにより、バックライトの制御にかかる時間を短縮でき、ユーザが感じる違和感をなくすことができる。また、高分解能測定の測定結果を用いてバックライトの制御を行うことにより、照度測定の精度を向上させることができ、ユーザの視認性や操作性を高めることができる。
【発明を実施するための最良の形態】
【００２３】
以下、本発明の携帯端末装置の一実施形態である携帯電話機について、添付図面を参照して詳細に説明する。
【００２４】
まず、本発明の実施形態としての携帯電話機の構成について説明する。図１は、本実施形態の携帯電話機の構成を示す図である。
【００２５】
図１に示すように、本実施形態の携帯電話機は、周囲照度を測定（感知）する照度センサ１０１と、ユーザに対して各種情報を表示する表示部１０２と、ユーザから各種情報の入力を受け付ける入力部１０３と、入力部１０３を照明する入力部バックライト１０４と、入力部バックライト１０４の点灯及び消灯を制御するための基準照度を記憶する基準照度記憶手段１０５と、基準照度及び周囲照度に基づいて、入力部バックライト１０４の点灯及び消灯を制御する制御手段１０６と、を備えている。
【００２６】
照度センサ１０１は、携帯電話機の周囲照度を測定（感知）し、測定した周囲照度を示す情報（照度情報）を制御部１０６へ出力する。また、照度センサ１０１は、暗がりから直射日光下までの広い範囲の照度を測定することができる。
【００２７】
表示部１０２は、ユーザが入力部１０３から入力した文字などの情報や、携帯電話機に登録されている文字や画像などの各種情報を表示する。
【００２８】
入力部１０３は、ユーザから入力される各種情報を受け付ける。
【００２９】
基準照度記憶手段１０５は、入力部バックライト１０４の点灯消灯制御を行うときの判断基準となる基準照度（閾値）を予め記憶する。
【００３０】
カウンタＡは、所定の時間を計測する。カウンタＡは、起動すると、予め定められた時間の計測を開始し、その時間に到達すると、停止する。
【００３１】
制御部１０６は、照度センサ１０１から取得した照度情報に基づいて、低分解能測定及び高分解能測定を行う（照度測定手段）。図２は、本実施形態の携帯電話機で行われる照度測定の低分解能測定及び高分解能測定を示す図である。高分解能測定とは、照度センサ１０１から取得した一定期間の照度情報をサンプリングし、５０Ｈｚ／６０Ｈｚノイズを含む様々なノイズをリジェクトし、１ルクス［ｌｘ］分解能で測定した結果（照度測定結果）を出力する測定である。この高分解能測定に要する時間は、２００ｍｓである。また、低分解能測定とは、高分解能測定に比べて照度情報のサンプリング期間が短く３２ルクス［ｌｘ］分解能で測定した結果（照度測定結果）を出力する測定である。この低分解能測定に要する時間は、５ｍｓである。なお、ここでの説明では、制御部１０６が低分解能測定と高分解能測定の機能を有するように構成したが、照度センサ１０１に低分解能測定と高分解能測定の機能を有するようにしてもよい。この場合、制御部１０６が、照度センサ１０６に対して低分解能測定又は高分解能測定のどちらを行うかを指示し、照度センサ１０６から、低分解能測定又は高分解能測定のどちらかで測定した照度測定結果を取得する。
【００３２】
制御部１０６は、基準照度記憶手段１０５から取得した基準照度と、照度測定結果とを比較して、入力部バックライト１０４の点灯消灯制御を行う（バックライト制御手段）。例えば、照度測定結果の値が基準照度の値以上の場合（周囲照度が明るい場合）には入力部バックライト１０４を消灯し、照度測定結果の値が基準照度の値より小さい場合（周囲照度が暗い場合）には入力部バックライト１０４を点灯する。
【００３３】
また、制御部１０６は、カウンタＡで計測される一定時間内に、入力部１０３の操作の有無を確認する。そして、制御部１０６は、カウンタＡで計測される一定時間内に、入力部１０３の操作を検出しなければ、入力部バックライト１０４を消灯させる。
【００３４】
次に、本実施形態の携帯電話機の動作について説明する。図３及び図４は、本実施形態の携帯電話機の動作（入力部バックライトの点灯消灯制御）を示す図である。
【００３５】
図３のポイント４０１に示すように、ユーザにより入力部１０３が押下されると（ステップＳ５００）、制御部１０６は、カウンタＡの起動状態を確認する（ステップＳ５０１）。カウンタＡが起動していると認識した場合（ステップＳ５０１／ＹＥＳ）、起動中のカウンタＡをリセットし再起動させる（ステップＳ５０２）。一方、カウンタＡが起動してないと認識した場合（ステップＳ５０１／ＮＯ）、カウンタＡを起動させる（ステップＳ５０３）。
【００３６】
図３のポイント４０２に示すように、制御部１０６は、照度センサ１０１の照度情報に基づいて、低分解能測定を行う（ステップＳ５０４）。制御部１０６は、５ｍｓ後に、低分解能測定の照度測定結果を取得する。
【００３７】
制御部１０６は、取得した照度測定結果の値と、基準照度記憶手段１０５に予め記憶されている基準照度の値とを比較する（ステップＳ５０５）。照度測定結果が基準照度以上である場合（ステップＳ５０５／ＹＥＳ）、制御部１０６は、入力部バックライト１０４が現在点灯しているか否かを判断する（ステップＳ５０６）。照度測定結果が基準照度より小さい場合（ステップＳ５０５／ＮＯ）、制御部１０６は、入力部バックライト１０４が現在点灯しているか否かを判断する（ステップＳ５０８）。
【００３８】
ステップＳ５０６において、入力部バックライト１０４が点灯していると判断した場合（ステップＳ５０６／ＹＥＳ）、制御部１０６は、入力部バックライト１０４を消灯させる（ステップＳ５０７）。入力部バックライト１０４が点灯していないと判断した場合（ステップＳ５０６／ＮＯ）、制御部１０６は、何も処理を行わない。
【００３９】
ステップＳ５０８において、入力部バックライト１０４が点灯していないと判断した場合（ステップＳ５０８／ＮＯ）、入力部バックライト１０４を点灯させる（ステップＳ５０９）。入力部バックライト１０４が点灯していると判断した場合（ステップＳ５０８／ＹＥＳ）、制御部１０６は、何も処理を行わない。
【００４０】
以上のように、制御部１０６によって、低分解能測定の照度測定結果に基づいて、入力部バックライト１０４の点灯消灯制御が行われた後は、ステップ５１０へ遷移する。
【００４１】
制御部１０６は、再びカウンタＡの起動状態を確認する（ステップＳ５１０）。制御部１０６が、カウンタＡが起動していると認識した場合（ステップＳ５１０／ＹＥＳ）、ステップＳ５１１へ遷移する。制御部１０６が、カウンタＡが起動していない（所定時間の経過によりカウンタＡが停止した）と判断した場合（ステップＳ５１０／ＮＯ）、ステップＳ５１２へ遷移する。
【００４２】
ステップＳ５１１へ遷移した場合について説明する。図３のポイント４０３に示すように、制御部１０６は、照度センサ１０１の照度情報に基づいて、高分解能測定を行う（ステップＳ５１１）。制御部１０６は、２００ｍｓ後に照度情報を取得し、高分解能測定の照度測定結果を取得する。制御部１０６は、取得した照度測定結果の値と、基準照度記憶手段１０５に予め記憶されている基準照度の値とを比較し、その比較結果に応じて、入力バックライト１０４の点灯消灯制御を行う（ステップＳ５０５〜Ｓ５０９）。なお、この高分解能測定に基づく入力バックライト１０４の点灯消灯制御は、図３のポイント４０４に示すように、所定時間の経過によりカウンタＡが停止する（ステップＳ５１０／ＮＯ）まで行われる。
【００４３】
ステップＳ５１２へ遷移した場合について説明する。制御部１０６は、入力部バックライト１０４が点灯しているか否かを判断する（ステップＳ５１２）。入力部バックライト１０４が点灯していると判断した場合（ステップＳ５１２／ＹＥＳ）、制御部１０６は、入力部バックライト１０４を消灯させ（ステップＳ５１３）、入力部バックライト１０４の点灯消灯制御の動作を終了する（ステップＳ５１４）。入力部バックライト１０４が消灯していると判断した場合は（ステップＳ５１２／ＮＯ）、制御部１０６は、何も処理を行わず、入力部バックライト１０４の点灯消灯制御の動作を終了する（ステップＳ５１４）。
【００４４】
以降は、入力部押下を最後に検出してから、所定の時間以上経過（カウンタＡが停止）するまで、本フローの制御を行う。
【００４５】
よって、本実施形態の携帯電話機では、入力部１０３押下直後の照度を低分解能測定で測定し、その後に高分解能測定に切り替えることにより、入力部１０３押下からバックライト点灯までの早いレスポンスが必要な状況に対応し、また、その後の高精度での照度測定結果に応じたバックライト制御が可能となる。
【００４６】
上述した本実施形態の構成及び動作によれば、以下の問題を解決することができる。
一般的に、高分解能測定によって周囲照度を測定し、その測定結果のみを用いてバックライト制御を行うと、高分解能測定には大幅な時間が必要となるため、入力部が操作されてから入力部バックライトが点灯するまでに時間を要してしまう。このため、ユーザに違和感を与えるおそれがあったが、本実施形態ではこの問題を解決できる。
【００４７】
また、例えば、入力部が操作されてから入力部バックライトが点灯するまでのレスポンスを早めた場合、高分解能測定には大幅な時間が必要となることから、測定結果を使用できない。このため、周囲照度に応じた入力部バックライトの点灯消灯制御が行えず、消費電力低減の妨げとなっていたが、本実施形態ではこの問題を解決できる。
【００４８】
以上のことから、本実施形態によれば、初回の照度測定のみ低分解能測定を行い、その測定結果を用いてバックライトの制御を行うことによって、バックライトの制御にかかる時間を短縮でき、ユーザが感じる違和感をなくすことができる。また、初回の照度測定の後は高分解能測定を行い、その測定結果を用いてバックライトの制御を行うことによって、照度測定の精度を向上させることができ、ユーザの視認性や操作性を高めることができる。
【００４９】
上記第１の実施形態の説明では、低分解能測定及び高分解能測定の照度測定結果を用いて行うバックライト制御の例として、入力部バックライトの点灯消灯制御について説明したが、入力部バックライト以外に、表示部バックライトの輝度制御にも用いることができる。その場合、制御部は、図４に示す動作と同様の動作を行う。そして、制御部は、照度測定結果が基準照度以上である場合には表示部バックライト輝度を上げる。一方、照度測定結果が基準照度より小さい場合には、表示部バックライト輝度を下げる。
【００５０】
さらに、低分解能測定及び高分解能測定の照度測定結果を用いて行うバックライト制御の例としては、入力部バックライトの点灯消灯制御及び表示部バックライトの輝度制御の両方に用いることもできる。その場合、制御部は、図４に示す動作と同様の動作を行う。そして、制御部は、照度測定結果が基準照度以上である場合には表示部バックライトの輝度を上げ、かつ、入力部バックライトを消灯する。一方、照度測定結果が基準照度より小さい場合には、表示部バックライトの輝度を下げ、入力部バックライトを点灯する。
【００５１】
以上、本発明の実施形態について説明したが、上記実施形態に限定されるものではなく、その要旨を逸脱しない範囲において種々の変形が可能である。
【００５２】
例えば、上述した実施形態における制御動作は、ハードウェア、または、ソフトウェア、あるいは、両者の複合構成によって実行することも可能である。
【００５３】
なお、ソフトウェアによる処理を実行する場合には、処理シーケンスを記録したプログラムを、専用のハードウェアに組み込まれているコンピュータ内のメモリにインストールして実行させるか、あるいは、各種処理が実行可能な汎用コンピュータにプログラムをインストールして実行させることが可能である。
【００５４】
例えば、プログラムは、記録媒体としてのハードディスクやＲＯＭ（ReＡd Only Memory）に予め記録しておくことが可能である。
【００５５】
あるいは、プログラムは、フロッピー（登録商標）ディスク、ＣＤ−ＲＯＭ(CompＡct Disc ReＡd Only Memory)，ＭＯ(MＡgneto opticＡl)ディスク，ＤＶＤ(DigitＡl VersＡtile Disc)、磁気ディスク、半導体メモリなどのリムーバブル記録媒体に、一時的、あるいは、永続的に格納（記録）しておくことが可能である。
【００５６】
このようなリムーバブル記録媒体は、いわゆるパッケージソフトウエアとして提供することが可能である。
【００５７】
なお、プログラムは、上述したようなリムーバブル記録媒体からコンピュータにインストールする他、ダウンロードサイトから、コンピュータに無線転送したり、ＬＡＮ(LocＡl ＡreＡ Network)、インターネットといったネットワークを介して、コンピュータに有線で転送したりし、コンピュータでは、転送されてきたプログラムを受信し、内蔵するハードディスク等の記録媒体にインストールすることが可能である。
【００５８】
また、上記実施形態で説明した処理動作に従って時系列的に実行されるのみならず、処理を実行する装置の処理能力、あるいは、必要に応じて並列的にあるいは個別に実行するように構築することも可能である。
【産業上の利用可能性】
【００５９】
本発明は、周囲の照度によって、装置の表示部のバックライト輝度を制御する液晶表示装置やプラズマ式表示装置などに適用できる。
【図面の簡単な説明】
【００６０】
【図１】本発明の携帯端末装置の構成を示すブロック図である。
【図２】本発明の携帯端末装置における照度測定の低分解能測定及び高分解能測定の性能差を示す表である。
【図３】本発明の携帯端末装置の照度センサによる入力部バックライト点灯消灯制御を示す図である。
【図４】本発明の携帯端末装置の動作を示すフローチャートである。
【図５】本発明に関連する携帯端末装置の照度センサによる入力部バックライト点灯消灯制御を示す図である。
【符号の説明】
【００６１】
１０１    照度センサ
１０２    表示部
１０３    入力部
１０４    入力部バックライト
１０５    基準照度記憶手段
１０６    制御部
Ａ    カウンタ
【図１】
0005076848.tif 000002
【図２】
0005076848.tif 000003
【図３】
0005076848.tif 000004
【図４】
0005076848.tif 000005
【図５】
0005076848.tif 000006